(57)【要約】【課題】    搬送装置の故障時においても、ディスクの強制排出及び強制ローディングが可能なディスク再生装置を提供する。【解決手段】  ディスクの位置を検出するための複数のセンサ２，３と、ディスクを搬送するためのローディングローラ７と、ローディングローラを回転駆動するローディングモータ５と、前記複数のセンサからの出力信号を監視して前記ローディングモータを制御する制御部４と、ディスクの搬送を指示するボタン入力部１を備えたディスク再生装置において、前記制御部４は、ボタン入力部のボタンが第１の所定時間以上操作し続けられたことを検出したとき、前記センサ出力に関わらず、前記ローディングローラを、ディスクを排出する方向に駆動する。【選択図】  図２
2006209862.tif 000002
【特許請求の範囲】
【請求項１】
ディスクの位置を検出するための複数のセンサと、
ディスクを搬送するためのローディングローラと、
ローディングローラを回転駆動するローディングモータと、
前記複数のセンサからの出力信号を監視して前記ローディングモータを制御する制御部と、
ディスクの搬送を指示するボタン入力部を備えたディスク再生装置において、
前記制御部は、ボタン入力部のボタンが第１の所定時間以上操作し続けられたことを検出したとき、前記センサ出力に関わらず、前記ローディングローラを、ディスクを排出または挿入する方向に駆動することを特徴とするディスク再生装置。
【請求項２】
請求項１記載のディスク再生装置において、
前記ローディングローラをディスクが排出される方向に駆動開始した後、第２の所定時間が経過する以前に前記ボタン操作が解除されたことを検出したとき、ローディングローラを回転駆動するローディングモータの駆動を停止することを特徴とするディスク再生装置。
【請求項３】
請求項１記載のディスク再生装置において、
前記ローディングローラをディスクが排出または挿入する方向に駆動開始した後、第２の所定時間が経過するまで前記ボタン操作が継続されたことを検出したとき、ローディングローラを前記とは逆方向に駆動することを特徴とするディスク再生装置。
【発明の詳細な説明】
【技術分野】
【０００１】
本発明は、ディスク再生装置に係り、特にディスクのローディングを行うローディングローラを備えたディスク再生装置に関する。
【背景技術】
【０００２】
ＣＤ（Compact Disc)やＤＶＤ(DigitalVersatile Disc)等のディスクを再生する装置においては、これらのディスクを再生装置内部に搬送する手段としてトレイに載せて搬送する従来の装置に代えて、近年では、ディスクをそのままローディングローラで搬送する装置が増加している。
【０００３】
ダンスフロアなどにおいては、ＤＪ（ディスクジョッキー）は、異なった曲をダンスのリズムが途切れないように、次々とつないで再生させていく。この場合、ＤＪは、再生装置を２台用意し、２台の再生装置で交互に再生させることによって音をつないでいる。この際、ＤＪは、再生が終了した曲のＣＤを再生装置から早く取り出し、現在再生している曲につなげる次の曲が入っているＣＤをこの再生装置にローディング（挿入）し、ローディングしたＣＤの再生開始ポイントをセッティングしなければならない。
【０００４】
ここで、スイッチあるいはセンサ類に故障などが発生した場合、ディスクが取り出せなくなることがある。例えば、再生装置の中にディスクが挿入されているかどうかを認識するセンサが故障すると、ディスクが挿入されているのに挿入されていないと判断し、ディスクを取り出す（排出する）イジェクトボタンの操作に反応しなくなる。この場合、前記トレイ搬送方式の再生装置では、器具を用いたり、あるいは簡単な機構を用いてトレイを少しイジェクトさせ、その後トレイを手で引っ張り出すことにより、ディスクを取り出すことができる（特許文献１参照）。
【０００５】
また、ディスクが挿入されていないのに挿入されていると判断して、ディスクを挿入するクローズボタンの操作に反応しなくなった場合、前記トレイ搬送方式では、手でトレイを押し込むことによって、ディスクを挿入することができる。
【特許文献１】特開２００４−１５２３７６号公報
【発明の開示】
【発明が解決しようとする課題】
【０００６】
前述のように、再生装置が、トレイ搬送方式であれば、器具を用いてトレイを少しイジェクトさせることにより、トレイを引き出すことができる。また、手でトレイを押し込むことにより、ディスクを再生装置内にセットすることが可能となる。しかし、再生装置が、ローディングローラを用いた搬送方式である場合は、ディスクが挿入口の外に出てくるまで搬送装置で搬送させないと手で取り出すことができない。また、手でディスクを押し込んでも、ディスクの挿入口までしか押し込むことができない。
【０００７】
この場合、再生装置を操作するＤＪなどの利用者は、ディスクを取りだせなくなったり、ローディングできなくなる。このため、次に再生する曲を準備することができず、例えばダンスのリズムを途切れさせてしまうことになる。
【０００８】
本発明はこれらの問題点に鑑みてなされたもので、搬送装置の故障時においても、ディスクの強制排出及び強制ローディングが可能なディスク再生装置を提供するものである。
【課題を解決するための手段】
【０００９】
本発明は上記課題を解決するため、次のような手段を採用した。
【００１０】
ディスクの位置を検出するための複数のセンサと、ディスクを搬送するためのローディングローラと、ローディングローラを回転駆動するローディングモータと、前記複数のセンサからの出力信号を監視して前記ローディングモータを制御する制御部と、ディスクの搬送を指示するボタン入力部を備えたディスク再生装置において、前記制御部は、ボタン入力部のボタンが第１の所定時間以上操作し続けられたことを検出したとき、前記センサ出力に関わらず、前記ローディングローラを、ディスクを排出または挿入する方向に駆動する。
【発明の効果】
【００１１】
本発明は、以上の構成を備えるため、搬送装置の故障時においても、ディスクの強制排出及び強制ローディングが可能なディスク再生装置を提供することができる。
【発明を実施するための最良の形態】
【００１２】
以下、最良の実施形態を添付図面を参照しながら説明する。図１は、本発明の実施形態にかかるディスク再生装置を説明する図である。
【００１３】
ディスク再生装置は、ディスクローディング装置１１、再生部１２、信号処理部１３、出力部１４、回転操作部１５、ボタン入力部１、制御部４を備える。
【００１４】
ディスクローディング装置１１は、後述するようにローディングモータ、ローディングローラ、ターンテーブル、ディスクをターンテーブルに保持するためのクランパ、ディスク位置を検出するための検出部を備える。ローディングモータ及びローディングローラは、ディスク再生装置本体に対するディスクの挿入、及びディスクの取り出しを行う。また、ターンテーブル及びクランパは、これらのより、挿入されたディスクを狭持し、制御部４の制御に基づいて回転駆動する。
【００１５】
また、検出部は、２つのセンサを備え、これらのセンサにより、ディスクローディング装置１１におけるディスクの位置を検出し、検出結果を制御部１７に出力する。
【００１６】
再生部１２は、制御部４の制御に基づいて、ディスクローディング装置１１に収納されたディスクから、ディスクに記録された情報を読み出して再生し、再生信号を信号処理部１３に出力する。信号処理部１３は、制御部１７の制御に基づいて、再生部１２が再生した再生信号に対して、残響音を付加するなどの信号処理を行う。なお、信号処理部１３では、図示しないメモリを備え、再生信号を一旦メモリに記憶し、制御部１７の制御に基づいて、メモリからの読み出し速度、読み出し順序等を変えてデータの読み出しを行い、読み出した信号を出力部１４に出力することができる。
【００１７】
出力部１４は、信号処理部１３から入力する信号を増幅し、外部に出力する。回転操作部１５は、例えば円盤状の回転操作板を備え、回転操作板の回転方向、回転速度に応じた制御信号を制御部１７に出力する。
【００１８】
ボタン入力部１は、ディスクローディング装置１１によるディスク搬送を指示するための指示ボタン（例えば、ディスクの取り出しを指示するイジェクトボタン）、ディスクの再生の開始・停止を指示するボタン等を備え、利用者がこれらのボタンを操作すると、操作されたボタンに応じた制御信号を制御部４に出力する。
【００１９】
制御部４は、ディスク再生装置全体を総合的に制御する。また、制御部４は、回転操作部１５あるいはボタン入力部１から入力する制御信号に基づいてディスクローディング装置１１を制御し、ディスクの搬送を行う。また、ボタン入力部１６から入力する制御信号に基づいて再生部１２、信号処理部１３及び出力部１４を制御し、ディスクに記録されている情報を再生する。また、制御部４は、回転操作部１５の制御信号に基づいて信号処理部１３を制御し、再生信号の読み出し速度、読み出し順序を変化させる。すなわち、図１に示すディスク再生装置は、ディスクに記録された情報を読み出し通常の再生速度で再生することができると共に、回転操作部の回転方向又は回転速度に応じてディスクから読み出した情報の再生速度または再生順序を変更して出力することができる。
【００２０】
図２、３は、ディスクローディング部の詳細を説明する図であり、図２は制御ブロックを示し、図３は、ローディング装置によるディスクの挿入及び取り出し処理を説明する図である。
【００２１】
図２に示すように、ボタン入力部１、ディスクの位置を検出すセンサ２及びセンサ３、ディスクの搬送を行うローディングモータ５を備える。ボタン入力部１はディスクの取り出し（排出）を指示するイジェクトボタン１ａを備える。
【００２２】
センサ２，３はディスク有無を検出するセンサであり、例えばセンサ上にディスクが存在するときＯＮ信号、存在しないときＯＦＦ信号を出力する。制御部４はセンサ２，３から入力される情報をもとにローディングモータ５に信号を出力し、ディスクを挿入したり排出したりする。
【００２３】
図３はローディング装置によるディスクの挿入及び取り出し処理を説明する図であり、図３（ａ）（ｂ）は挿入時の処理を示し、図３（ｃ）（ｄ）は取り出し時の処理を示す。
【００２４】
まず、ディスク６を挿入する際の処理について説明する。図３（ａ）においてディスク６を筐体の挿入口に挿入すると、第１のセンサ２はディスクの存在を検出してＯＮ信号を出力する。制御部４は、このＯＮ信号を検出してローディングモータ５に信号を出力し、ローディングローラ７をディスク挿入方向に回転させる。
【００２５】
ローディングローラ７はディスク６の上面側と下面側に存在し、ディスク６を挟む形で筐体８内部に搬送することができる。ローディングローラ７により搬送されたディスク６が、図２（ｂ）に示す位置まで搬送されると、第２のセンサ３がディスクの存在を検出してＯＮ信号を出力する。制御部４は、このＯＮ信号を検出してローディングモータ５への信号出力を停止する。その後、制御部４の指示により、ディスク６をターンテーブル９とクランパ１０により狭持して、ディスク情報を読み取る為にターンテーブルを回転させる。  次に、ディスク６を取り出す際の処理、すなわち通常のディスク排出処理について説明する。まず、ディスク６が図２（ｂ）に示す状態においてボタン入力部１のイジェクトボタン１ａが操作されたとする。制御部４は、この操作を検出するとディスクの回転を停止させ、ターンテーブルとクランパ１０によるディスク６の狭持を解除する。また、ローディングモータ５に信号を出力し、ローディングローラ７をディスク６が排出される方向に回転させる。ローディングローラ７によりディスク６が排出方向に搬送され、ディスクが、図２（ｃ）に示す位置まで搬送されると、第２のセンサ３がＯＦＦ信号を出力する。その後、ディスクが、図２（ｄ）に示すように第１のセンサ２がＯＦＦ信号を出力する位置まで搬送されたら、制御部４はローディングモータ５に出力していた信号を停止し、ローディングモータ５を停止させる。
【００２６】
図４は、ディスク再生装置におけるディスクの挿入及び排出処理を説明する図である。  まず、イジェクトボタン１ａを操作してディスクを取り出す処理をを説明する。この場合、最初のステップＳｌにおいて、ボタン入力部１のイジェクトボタン１ａの操作を監視し、イジェクトボタン１ａが操作されたことを検出するとステップＳ２に進む。ステップＳ２において、初期設定として制御部４の内部の図示しないメモリ上に用意した「ボタン押しパラメータ」という変数を「０」に初期化する。なお、このパラメータは、偶数の場合はディスク搬送方向としてローディング方向を、また、奇数の場合は排出方向を表すものとする。
【００２７】
ステップＳ３において、制御部４の内部の図示しないメモリ上に予め用意された「長押し検出タイマ」という変数の値（例えば、5０００ミリ秒）を所定時間（例えば、１ミリ秒）毎にデクリメントする。ステップＳ４において、イジェクトボタン１ａが規定時間（「長押し検出タイマ」という変数で設定された値（５０００ミリ秒））以上の時間が経過したか否かを検出し、規定時間以上が経過した場合はステップＳ５に進み、そうでない場合はステップＳ１０に進む。ステップＳ１０において、イジェクトボタン１ａが解放（リリース）されたか否かを検出し、リリースされた場合はステップＳ１１に進み、そうでない場合はステップＳ４に進む。
【００２８】
通常のイジェクトボタン操作では、イジェクトボタンを押すとすぐにイジェクトボタンから指を放すため、通常はステップＳ４からステップＳ１０介してステップＳ１１に進むことになる。
【００２９】
ステップＳ１１において、ステップＳ３における「長押し検出タイマ」という変数の値を所定時間毎にデクリメントする処理を停止するとともに変数をリセットする。ステップＳ１２において、ボタン押しパラメータの内容を確認する。この例の場合は、未だ「０」であるので、ボタン押し直後であると判断し、ステップＳ１３に移行し、通常のディスク排出処理を行う。
【００３０】
次に、センサ故障時のディスク取り出しについて説明する。例えば、第１及び第２のセンサ２，３が故障してＯＦＦ信号しか出力しないようになった場合においては、イジェクトボタン１ａを長押しすることにより、ディスクを取り出すことができる。
【００３１】
ステップＳ４において、イジェクトボタン１ａがが長押しされている（規定時間以上操作されている）と判定すると、ステップＳ５に進む。ステップＳ５において、前記変数である「長押し検出タイマ」を再度、例えば５０００ミリ秒にセットし、所定時間（１ミリ秒）毎にデクリメントする。ステップＳ６において、前記「ボタン押しパラメータ」をインクリメントし、偶数なら奇数、奇数なら偶数に変更する。なお、「ボタン押しパラメータ」は、テップＳ２において「０」に初期化されているので、ステップＳ６では１になっている。
【００３２】
ステップＳ７において、「ボタン押しパラメータ」が奇数であるか偶数であるかを判別し、奇数の場合はステップＳ８に進み、偶数の場合はステップＳ９に進む。この例の場合は奇数「１」であるので、ステップＳ８に進み、ローディングローラをディスクを排出する方向に駆動してディスクを排出する。このとき、ステップＳ４とステップＳｌ０を繰り返すが、その後５秒間はディスクを排出する方向にローディングモーターが回るので、ディスクが排出され、ディスクを取り出すことが可能となる。                            ディスクの取り出しに成功した場合は、イジェクトボタン１１ａから指を放すことにより、ステップＳ１０からステップＳ１１に移行する。ステップＳ１２において、「ボタン押しパラメータ」は「０」以外となっているので、ステップＳ１４に移行し、モータの回転は停止する。
【００３３】
次に、センサ故障時のディスク挿入について説明する。例えば、第１及び第２のセンサ２，３が故障してＯＦＦ信号しか出力しないようになった場合においては、イジェクトボタン１ａを長押しすることにより、ディスクを挿入することができる。
【００３４】
ステップＳ４においてイジェクトボタン１ａが長押しされている（規定時間以上操作されている）と判定すると、ステップＳ５に進む。ステップＳ５において、前記変数である「長押し検出タイマ」を再度、例えば５０００ミリ秒にセットし、所定時間（１ミリ秒）毎にデクリメントする。ステップＳ６において、前記「ボタン押しパラメータ」をインクリメントし、偶数なら奇数、奇数なら偶数に変更する。なお、「ボタン押しパラメータ」は、テップＳ２において「０」に初期化されているので、ステップＳ６では１になっている。
【００３５】
ステップＳ７において、「ボタン押しパラメータ」が奇数であるか偶数であるかを判別し、奇数の場合はステップＳ８に進み、偶数の場合はステップＳ９に進む。この例の場合は奇数「１」であるので、ステップＳ８に進み、ローディングローラをディスクを排出する方向に駆動してディスクを排出する。このとき、ステップＳ４とステップＳｌ０を繰り返すが、その後５秒間はディスクを排出する方向にローディングモーターが回る。なお、この例の場合はディスクが挿入されていないため、単にローディングモーターが回っているだけとなる。
【００３６】
５秒が経過すると再びステップＳ６に移行する。ここでは「ボタン押しパラメータ」インクリメントされて「２」となる。ステップＳ７において、「ボタン押しパラメータ」は偶数であるため、ステップＳ９において、ディスクを挿入する方向にローディングモータを駆動する。その後ステップＳ４とステップＳ１０を繰り返すが、５秒間はディスクを挿入する方向にローディングモータを駆動する。このため、この間にディスクを挿入すれば、ディスクを筐体内にローディングすることが可能となる。ディスクのローディングに成功した場合は、イジェクトボタンから指を放すことにより、ステップＳ１０からステップＳ１１に移行する。ステップＳ１２において「ボタン押しパラメータ」は「０」以外であるので、ステップＳ１４に移行し、モータが停止する。ここで、最初にイジェクトボタンを操作する際に、他のボタンを操作しながらイジェクトボタンを操作したときは、ステップＳ２においてボタン押しパラメータに１を入れることにより、先にローディング動作を行うように変更することができる。
【００３７】
以上説明したように、本実施形態によれば、ローディングローラを用いてディスクを搬送する方式のディスク再生装置において、ディスク位置を検出するセンサが故障した場合においても、強制的にディスクを挿入し、また排出することが可能になる。
【００３８】
また、例えば、イジェクトボタン１ａを操作（押圧）したままにしておくと、ローディングモータ５はディスクを排出する方向及びディスクを挿入する方向に交互に５秒ずつ駆動されることになる。従ってこの動作を観察することにより、ローディングローラを用いてディスクを搬送する機構の状態を検査することができる。
【図面の簡単な説明】
【００３９】
【図１】本発明の実施形態にかかるディスク再生装置を説明する図である。
【図２】ディスクローディング部の制御ブロックを説明する図である。
【図３】ローディング装置によるディスクの挿入及び取り出し処理を説明する図である。
【図４】ディスク再生装置におけるディスクの挿入及び排出処理を説明する図である。
【符号の説明】
【００４０】
１  ボタン入力部
１ａ  イジェクトボタン１ａ
２，３  センサ
４  制御部
５  ローディングモータ
６  ディスク
７  ローディングローラ
８  筐体
９  ターンテーブル
１０  クランパ
１１  ディスクローディング装置
１２  再生部
１３  信号処理部
１４  出力部
１５  回転操作部
【図１】
2006209862.tif 000003
【図２】
2006209862.tif 000004
【図３】
2006209862.tif 000005
【図４】
2006209862.tif 000006